【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
機械エネルギーを用いて、二酸化炭素と水とから炭化水素を含むガスを生成する生成方法。
【請求項２】
前記水を還元することにより前記水から水素を抽出し、前記水素を用いて前記炭化水素を生成する、請求項１に記載の生成方法。
【請求項３】
前記二酸化炭素を用いて炭酸塩を生成し、前記炭酸塩を用いて前記炭化水素を生成する、請求項１または２に記載の生成方法。
【請求項４】
機械エネルギーを用いて、炭酸塩と水素とから炭化水素を含むガスを生成する生成方法。
【請求項５】
水素源を還元することにより前記水素源から前記水素を抽出し、前記水素を用いて前記炭化水素を生成する、請求項４に記載の生成方法。
【請求項６】
前記水素源は水である、請求項５に記載の生成方法。
【請求項７】
前記炭酸塩は金属炭酸塩である、請求項３乃至６のいずれか１項に記載の生成方法。
【請求項８】
前記機械エネルギーは金属体に加えられ、前記金属体が前記水素源を還元する、請求項５または６に記載の生成方法。
【請求項９】
前記機械エネルギーは金属体に加えられ、前記炭酸塩は前記金属体に含まれる金属の炭酸塩である請求項３乃至７のいずれか１項に記載の生成方法。
【請求項１０】
前記機械エネルギーは前記ガスを生成する空間に配された金属体に加えられる、請求項１乃至７のいずれか１項に記載の生成方法。
【請求項１１】
前記機械エネルギーは前記金属体と硬質体との接触によって前記金属体に加えられる、請求項１０に記載の生成方法。
【請求項１２】
前記接触によって前記金属体の単位面積あたりに加わる圧力は３０ｋＰａ以上である、請求項１１に記載の生成方法。
【請求項１３】
前記金属体と前記硬質体とが接触することと、前記金属体と前記硬質体が非接触になることと、を繰り返す、請求項１１または１２に記載の生成方法。
【請求項１４】
前記金属体および前記硬質体の少なくとも一方が、振動および回転の少なくとも一方の運動を行う、請求項１１乃至１３のいずれか１項に記載の生成方法。
【請求項１５】
前記硬質体は金属酸化物を含む、請求項１１乃至１４のいずれか１項に記載の生成方法。
【請求項１６】
前記硬質体は金属を含む、請求項１１乃至１５のいずれか１項に記載の生成方法。
【請求項１７】
前記金属体は、鉄、ニッケルおよびクロムの少なくともいずれかを含む、請求項８乃至１６のいずれか１項に記載の生成方法。
【請求項１８】
前記金属体は合金からなる、請求項８乃至１７のいずれか１項に記載の生成方法。
【請求項１９】
前記金属体はステンレス鋼を含む、請求項８乃至１８のいずれか１項に記載の生成方法。
【請求項２０】
前記金属体は、ボール状、柱状または板状である、請求項８乃至１９のいずれか１項に記載の生成方法。
【請求項２１】
前記金属体の大きさは１ｍｍ以上である、請求項８乃至２０のいずれか１項に記載の生成方法。
【請求項２２】
前記金属体は粉末状である、請求項８乃至１９のいずれか１項に記載の生成方法。
【請求項２３】
前記金属体に含まれる金属の酸化物を生成する、請求項８乃至２２のいずれか１項に記載の生成方法。
【請求項２４】
前記機械エネルギーをボールミリング法により生じる、請求項１乃至２３のいずれか１項に記載の生成方法。
【請求項２５】
前記炭化水素は、メタンを含む、請求項１乃至２４のいずれか１項に記載の生成方法。
【請求項２６】
前記炭化水素は、エタンを含む、請求項１乃至２５のいずれか１項に記載の生成方法。
【請求項２７】
前記炭化水素は、プロパンを含む、請求項１乃至２６のいずれか１項に記載の生成方法。
【請求項２８】
前記ガスは水素を含む、請求項１乃至２７のいずれか１項に記載の生成方法。
【請求項２９】
前記ガスは混合ガスであり、前記混合ガスから生成物を分離および圧縮する、請求項１乃至２８のいずれか１項に記載の生成方法。
【請求項３０】
前記機械エネルギーを生じる運動の駆動エネルギーを再生可能エネルギー源から供給する、請求項１乃至２９のいずれか１項に記載の生成方法。
【請求項３１】
二酸化炭素を用いて炭化水素を生成する方法において、二酸化炭素を含むガスと水素源との存在下で、ステンレス鋼を含む金属体に固体間接触によって単位面積当たりの接触圧力が３０ｋＰａ以上となる機械エネルギーを加え、二酸化炭素に由来する炭素に水素を付加して炭化水素を生成することを特徴とする生成方法。
【請求項３２】
前記水素源が水である、請求項３１に記載の生成方法。
【請求項３３】
前記炭素への水素の付加が、二酸化炭素を用いて前記金属体の表面で金属炭酸塩を生成し、水素の存在下で前記金属体に機械エネルギーを加え、金属炭酸塩に水素を付加することによってなされる、請求項３１または３２に記載の生成方法。
【請求項３４】
前記機械エネルギーの量を制御することにより、前記炭化水素の生成を制御する、請求項１乃至３３のいずれか１項に記載の生成方法。
【請求項３５】
二酸化炭素もしくは炭化水素を検知し、前記検知の結果をフィードバックして、二酸化炭素を含むガスの導入量と前記機械エネルギーの量とのいずれか一つ以上を制御する、請求項１乃至３４のいずれか１項に記載の生成方法。
【請求項３６】
二酸化炭素を含むガスと水素源との存在下で、固体間接触により金属体に機械エネルギーを与える反応容器と、
前記反応容器に二酸化炭素を含むガスを導入するガス導入手段と、
前記反応容器に水素源を導入する水素源導入手段と、
前記反応容器で生成した炭化水素を含むガスを排出するガス排出手段と、を備え、
前記反応容器内で二酸化炭素に水素を付加して炭化水素を生成する
ことを特徴とする装置。
【請求項３７】
前記反応容器に、金属体導入手段、金属体排出手段のいずれか一つ以上が備えられていることを特徴とする請求項３６に記載の装置。
【請求項３８】
前記反応容器、もしくは前記ガス排出手段に、二酸化炭素もしくは生成した炭化水素を検知する検知手段が備えられていることを特徴とする請求項３６または３７に記載の装置。
【請求項３９】
前記検知の結果をフィードバックし、前記反応容器への二酸化炭素を含むガスの導入量と前記機械エネルギーの量のいずれか一つ以上を制御する制御手段が備えられていることを特徴とする請求項３８に記載の装置。
【請求項４０】
さらに、前記反応容器で生成された炭化水素を用いて前記反応容器で与える機械エネルギーを供給する供給手段を有することを特徴とする請求項３６乃至３９のいずれか１項に記載の装置。
【請求項４１】
請求項１乃至３５のいずれか１項に記載の生成方法を利用した装置であって、二酸化炭素を含むガスを導入する導入手段と、炭化水素を含むガスを排出する排出手段と、を備える装置。
【請求項４２】
請求項１乃至３５のいずれか１項に記載の生成方法を利用した装置であって、
二酸化炭素を検知する検知手段と、炭化水素を検知する検知手段と、を備える装置。
【請求項４３】
請求項８乃至２３のいずれか１項に記載の生成方法を利用した装置であって、金属体を導入する導入手段と、金属体を排出する排出手段と、を備える装置。
【請求項４４】
請求項１乃至３５のいずれか１項に記載の生成方法を利用した設備であって、前記機械エネルギーを生じる装置と、前記装置を駆動する駆動エネルギーを前記装置に供給する駆動部と、を備え、前記装置で生成された炭化水素を前記駆動部に供給ように構成された設備。
【請求項４５】
化石燃料または有機物を燃焼する設備であって、請求項１乃至３５のいずれか１項に記載の生成方法を利用した装置を備え、前記燃焼によって排出された二酸化炭素を前記装置に供給するように構成された設備。
【請求項４６】
金属体と前記金属体に与える機械エネルギーと水とを用いて、二酸化炭素を炭化水素と金属酸化物とに分解する、二酸化炭素の分解方法。
【手続補正２】
【補正対象書類名】明細書
【補正対象項目名】発明の名称
【補正方法】変更
【補正の内容】
【発明の名称】生成方法、装置、設備、および二酸化炭素の分解方法
【手続補正３】
【補正対象書類名】明細書
【補正対象項目名】０００９
【補正方法】変更
【補正の内容】
【０００９】
本発明の一態様に係る生成方法は、機械エネルギーを用いて、二酸化炭素と水とから炭化水素を含むガスを生成することを特徴とする。
また、本発明の別の態様に係る生成方法は、機械エネルギーを用いて、炭酸塩と水素とから炭化水素を含むガスを生成することを特徴とする。
また、本発明のさらに別の態様に係る生成方法は、二酸化炭素を用いて炭化水素を生成する方法において、二酸化炭素を含むガスと水素源との存在下で、ステンレス鋼を含む金属体に固体間接触によって単位面積当たりの接触圧力が３０ｋＰａ以上となる機械エネルギーを加え、二酸化炭素に由来する炭素に水素を付加して前記炭化水素を生成することを特徴とする。
また、本発明の一態様に係る設備は、上記の本発明に係る生成方法を利用した設備であって、前記機械エネルギーを生じる装置と、前記装置を駆動する駆動エネルギーを前記装置に供給する駆動部と、を備え、前記装置で生成された炭化水素を前記駆動部に供給するように構成されたことを特徴とする。
また、本発明の別の態様に係る設備は、化石燃料または有機物を燃焼する設備であって、上記の本発明に係る生成方法を利用した装置を備え、前記燃焼によって排出された二酸化炭素を前記装置に供給するように構成されたことを特徴とする。
【手続補正４】
【補正対象書類名】明細書
【補正対象項目名】００１０
【補正方法】変更
【補正の内容】
【００１０】
また、本発明に係る装置は、二酸化炭素を含むガスと水素源との存在下で、固体間接触により金属体に機械エネルギーを与える反応容器と、前記反応容器に二酸化炭素を含むガスを導入するガス導入手段と、前記反応容器に水素源を導入する水素源導入手段と、前記反応容器で生成した炭化水素を含むガスを排出するガス排出手段とを備え、前記反応容器内で二酸化炭素に水素を付加して炭化水素を生成することを特徴とする。
また、本発明に係る二酸化炭素の分解方法は、金属体と、前記金属体に与える機械エネルギーと、水とを用いて、二酸化炭素を炭化水素と金属酸化物とに分解することを特徴とする。